(57)【要約】      （修正有）【課題】使用者の歩行を安定して補助することができる歩行補助杖を提供する。【解決手段】歩行補助杖は、連結部材２６の下端側を支持脚部における脚部本体に対して前後回動可能に連結している。連結部材２６の上端側に形成した拡張部２６１を、杖本体２における下部筒体２２の下端側に形成した受け部２２２に挿入した後、雄ねじ部材２６３を下部筒体２２のねじ挿通孔２２３から挿通して、拡張部２６１の雌ねじ孔２６１２にそれぞれ螺合するとともに、拡張部２６１の径中心部にて互いに当接している。雄ねじ部材２６３同士を当接した際に生じる反発力によって拡張部２６１を径外方向へ拡張し、拡張部２６１の外周面を受け部２２２の内周面に対して径外方向に圧着し固定している。【選択図】図６
0003210562.tif 000002
【実用新案登録請求の範囲】
【請求項１】
棒状の杖本体と、該杖本体の上端部に取り付けられた握り部と、前記杖本体の下端部に取り付けられた支持脚部とを備えた歩行補助杖であって、
前記杖本体と前記支持脚部との間に介在される連結部材の下端側が、前記支持脚部に連結され、
前記連結部材の上端側に形成された中空筒状の拡張部が、
前記杖本体の下端側に形成された中空筒状の受け部に挿入され、
前記拡張部を径外方向へ拡張する拡張手段が、前記拡張部に設けられた
歩行補助杖。
【請求項２】
前記拡張手段が、
前記拡張部に形成された雌ねじ孔に螺合される雄ねじ部材で構成され、
前記雌ねじ孔が、
前記拡張部における径方向に対向する対向周面に形成された
請求項１に記載の歩行補助杖。
【請求項３】
前記拡張部を拡張するための割り溝が、
前記拡張部における径方向に対向する対向周面に対して該拡張部の軸芯方向と平行して形成されるとともに、
前記拡張部の軸芯を中心として前記雌ねじ孔に対して周方向に略９０度偏心して配置された
請求項１又は２に記載の歩行補助杖。
【請求項４】
前記雌ねじ孔が、
前記拡張部における前記割り溝の両端より内側の径方向に対向する対向周面に形成された
請求項３に記載の歩行補助杖。
【請求項５】
前記拡張部が前記受け部に挿入された状態において、
前記拡張部の前記雌ねじ孔に螺合した前記雄ねじ部材の端部が、
前記拡張部の外周面より径外方向に所定長さ突出されるとともに、
前記受け部の径方向に対向する対向周面に形成された前記雌ねじ孔と連通するねじ挿通孔に係止された
請求項１〜４のいずれか一つに記載の歩行補助杖。
【請求項６】
前記拡張部が前記受け部に挿入され、前記雌ねじ孔が前記ねじ挿通孔に連通された状態において、
前記受け部の下端部が、
前記連結部材の下端側に形成された径外方向に突出する当接部に当接された
請求項４に記載の歩行補助杖。
【考案の詳細な説明】
【技術分野】
【０００１】
この考案は、例えば足腰が弱った高齢者や足腰に障害のある身体障害者等の使用者の歩行を補助するための歩行補助杖に関する。
【背景技術】
【０００２】
上述のような使用者の歩行を補助するための歩行補助杖は、杖本体の上端部に固定された握り部と、杖本体の下端部に固定された支持脚部とを備えている。杖本体と支持脚部とを固定する構造としては、様々なものが多数提案されており、特許文献１に開示の支柱を脚部材に組み付ける構造も、このような構造の一つである。
【０００３】
特許文献１の構造は、支柱内に挿入された弾性厚肉筒を、脚部材底面のボルト挿通孔に挿通したボルトと、ボルトに螺合したナット部材とで上下方向に圧縮し、径外方向に膨張する弾性厚肉筒の外周面を支柱の内周面に圧着して、支柱と脚部材とを固定する。
【０００４】
しかし、上述の弾性厚肉筒は、経年変化によってゴム自体の弾性が徐々に低下するため、支柱の内周面に対して圧着された状態を保つことが困難である。また、弾性厚肉筒の弾性が低下するとボルト及びナットに緩みが生じやすく、支柱と脚部材とが固定された状態を保つことが困難である。
【先行技術文献】
【特許文献】
【０００５】
【特許文献１】特開平８−２２７２７２号公報
【考案の概要】
【考案が解決しようとする課題】
【０００６】
この考案は、使用者の歩行を安定して補助することができる歩行補助杖を提供することを目的とする。
【課題を解決するための手段】
【０００７】
この考案は、棒状の杖本体と、該杖本体の上端部に取り付けられた握り部と、前記杖本体の下端部に取り付けられた支持脚部とを備えた歩行補助杖であって、前記杖本体と前記支持脚部との間に介在される連結部材の下端側を、前記支持脚部に連結し、前記連結部材の上端側に形成された中空筒状の拡張部を、前記杖本体の下端側に形成された中空筒状の受け部に挿入し、前記拡張部を径外方向へ拡張する拡張手段を、前記拡張部に設けたことを特徴とする。
【０００８】
上述の連結とは、例えば杖本体を支持脚部に対して前後回動可能に連結すること、あるいは、杖本体を支持脚部に対して前後回動不可能に固定することを含む概念である。  
この考案によれば、使用者の歩行を安定して補助することができる歩行補助杖を提供することができる。  
【０００９】
詳しくは、連結部材の下端側を支持脚部に連結しておき、連結部材の上端側に形成された拡張部を杖本体の受け部に挿入した後、拡張手段によって拡張部を径外方向へ拡張し、拡張部の外周面を受け部の内周面に対して径外方向に圧着し固定する。
【００１０】
これにより、拡張部の外周面と受け部の内周面との圧着部分に生じる摩擦抵抗によって、連結部材の拡張部を杖本体の受け部に対して挿入された状態に圧着し固定することができる。  
この結果、連結部材の拡張部を杖本体の受け部に対してガタ付き無く固定できるとともに、杖本体と支持脚部を一体に連結することができる。
【００１１】
しかも、使用者の体重を支えるのに十分な強度を確保できるため、使用者の体重を杖本体に対して安心してかけることができるとともに、使用者の体重や姿勢を安定して支えることができる。
【００１２】
この考案の態様として、前記拡張手段を、前記拡張部に形成された雌ねじ孔に螺合される雄ねじ部材で構成し、前記雌ねじ孔を、前記拡張部における径方向に対向する対向周面に形成してもよい。
【００１３】
この考案によれば、使用者の歩行を確実に安定して補助することができる。  
詳しくは、雄ねじ部材を、拡張部の対向周面に形成された雌ねじ孔にそれぞれ螺合し、雄ねじ部材同士を拡張部の径中心部にて互いに当接する。雄ねじ部材同士を当接した際に生じる反発力によって、雄ねじ部材が螺合された拡張部の雌ねじ孔を、雄ねじ部材同士が当接される方向と反対の方向へねじ送り移動させるとともに、拡張部における雌ねじ孔と対応する部分を径外方向へ拡張して、拡張部の外周面を受け部の内周面に対して径外方向に圧着し固定する。
【００１４】
これにより、雄ねじ部材同士を互いに当接される方向へ締め込むほど、拡張部の外周面を受け部の内周面に対して強く圧着し固定することができる。  
この結果、連結部材の拡張部を杖本体の受け部に対して強固に固定することができる。
【００１５】
しかも、雄ねじ部材同士の当接によって拡張された連結部材の拡張部は、蓄積された復元力によって拡張前の状態に戻ろうとするため、その復元力によって、拡張部の雌ねじ孔に螺合した雄ねじ部材同士が互いに当接される方向に付勢されるとともに、雄ねじ部材同士が当接される方向と反対の方向に向けて雄ねじ部材のネジ山と雌ねじ孔のネジ山とが互いに当接される。
【００１６】
これにより、雄ねじ部材と雌ねじ孔との螺合部分に緩みが生じることを防止できるとともに、拡張部の外周面と受け部の内周面とが圧着し固定された状態を長期に亘り安定して保つことができる。
【００１７】
またこの考案の態様として、前記拡張部を拡張するための割り溝を、前記拡張部における径方向に対向する対向周面に対して該拡張部の軸芯方向と平行して形成するとともに、前記拡張部の軸芯を中心として前記雌ねじ孔に対して周方向に略９０度偏心して配置してもよい。
【００１８】
この考案によれば、使用者の歩行をより安定して補助することができる。  
詳しくは、雄ねじ部材同士の当接によって連結部材の拡張部を拡張する際に、拡張部における割り溝によって分割された一方及び他方の外周面を、拡張部における一方及び他方の外周面と対応する、受け部における一方及び他方の内周面に対して圧着し固定する。
【００１９】
これにより、拡張部における一方及び他方の外周面が、受け部における一方及び他方の内周面に対して略均等に圧着されるため、拡張部を受け部に挿入された状態に圧着し固定するのに十分な摩擦抵抗が得られる。  
この結果、連結部材の拡張部を杖本体の受け部に対してより強固に固定することができる。
【００２０】
またこの考案の態様として、前記雌ねじ孔を、前記拡張部における前記割り溝の両端より内側の径方向に対向する対向周面に形成してもよい。  
この考案によれば、使用者の歩行をより確実に安定して補助することができる。
【００２１】
詳しくは、雄ねじ部材を、拡張部における割り溝の両端より内側の対向周面に形成された雌ねじ孔にそれぞれ螺合するため、雄ねじ部材同士を当接した際に生じる反発力によって、拡張部における雌ねじ孔と対応する部分を径外方向へ容易に拡張することができる。
【００２２】
これにより、拡張部における一方及び他方の外周面が、受け部における一方及び他方の内周面に対してより略均等に密着した状態に圧着されるため、拡張部を受け部に挿入された状態に圧着し固定するのに十分な摩擦抵抗がより確実に得られる。  
この結果、連結部材の拡張部を杖本体の受け部に対してより密着した状態に圧着し固定できるとともに、拡張部と受け部とを頑丈に固定することができる。
【００２３】
またこの考案の態様として、前記拡張部を前記受け部に挿入した状態において、前記拡張部の前記雌ねじ孔に螺合した前記雄ねじ部材の端部を、前記拡張部の外周面より径外方向に所定長さ突出するとともに、前記受け部の径方向に対向する対向周面に形成された前記雌ねじ孔と連通するねじ挿通孔に係止してもよい。
【００２４】
この考案によれば、使用者の歩行をより確実に安定して補助することができる。  
詳しくは、連結部材の拡張部を杖本体の受け部に挿入した際に、拡張部の外周面より径外方向に突出された雄ねじ部材の端部を、拡張部の雌ねじ孔と連通する位置に形成された受け部のねじ挿通孔に係止する。  
これにより、受け部に挿入された拡張部が軸芯方向へ移動したり、周方向へ回転したりすることを確実に防止できる。
【００２５】
この結果、連結部材の拡張部を杖本体の受け部に対してより頑丈に固定できるとともに、杖本体と支持脚部とを使用者の体重を支えるのに十分な強度に確実に連結することができる。
【００２６】
しかも、拡張部の外周面を受け部の内周面に対して圧着し固定するのに加えて、雄ねじ部材の端部を受け部のねじ挿通孔に係止するため、連結部材の拡張部を杖本体の受け部に対して頑丈に固定することができる。
【００２７】
またこの考案の態様として、前記拡張部を前記受け部に挿入し、前記雌ねじ孔を前記ねじ挿通孔に連通させた状態において、前記受け部の下端部を、前記連結部材の下端側に形成された径外方向に突出する当接部に当接してもよい。
【００２８】
この考案によれば、使用者の歩行をより確実に安定して補助することができる。  
詳しくは、連結部材の拡張部を下部筒体の受け部に挿入する際に、連結部材の当接部が受け部の下端部に対して当接される位置まで挿入し、拡張部の雌ねじ孔と受け部のねじ挿通孔とが連通される位置に規制するため、拡張部の外周面より径外方向に突出された雄ねじ部材の端部を受け部のねじ挿通孔に対して確実に係止することができる。  
これにより、受け部に挿入された拡張部が軸芯方向へ移動したり、周方向へ回転したりすることをより確実に防止できる。
【００２９】
この結果、連結部材の拡張部を杖本体の受け部に対してより頑丈かつ強固に固定できるとともに、杖本体と支持脚部とを使用者の体重を支えるのに十分な強度により確実に連結することができる。
【００３０】
しかも、雄ねじ部材の端部に回動操作部（例えば六角形の穴部や、六角形の頭部等）が設けられている場合、拡張部の雌ねじ孔に螺合された雄ねじ部材を、受け部のねじ挿通孔を介して外側から回動操作することができるため、連結部材の拡張部を杖本体の受け部に挿入したまま、拡張部を径外方向へ拡張することができ、杖本体と支持脚部を連結する際の作業性を向上することができる。
【考案の効果】
【００３１】
この考案によれば、使用者の歩行を安定して補助することができる歩行補助杖を提供することができる。
【図面の簡単な説明】
【００３２】
【図１】歩行補助杖を斜め後方から見た斜視図。
【図２】杖本体に内蔵されたロック機構の拡大断面図。
【図３】図５に示す支持脚部のＡ−Ａ線矢視断面図。
【図４】支持脚部を幅方向の中央部で分断した断面図。
【図５】杖本体と支持脚部の連結部分を上方から見た断面図。
【図６】下部筒体の下端部に固定される連結部材の説明図。
【図７】下部筒体の下端部に固定される連結部材の斜視図。
【図８】支持脚部に形成されたカム部の説明図。
【図９】切替え部材に形成されたカム部の説明図。
【図１０】杖本体を前後方向に回動操作する際の説明図。
【図１１】歩行補助杖を接地面に接地する際の動作説明図。
【考案を実施するための形態】
【００３３】
この考案の一実施形態を以下図面に基づいて詳述する。  
図１は歩行補助杖１を斜め後方から見た斜視図、図２は杖本体２に内蔵されたロック機構２３の拡大断面図、図３は図５に示す支持脚部４のＡ−Ａ線矢視断面図、図４は支持脚部４を幅方向Ｗの中央部で分断した断面図、図５は杖本体２と支持脚部４の連結部分を上方から見た断面図である。
【００３４】
図６は下部筒体２２の下端部に固定される連結部材２６の説明図であり、詳しくは、連結部材２６の拡張部２６１を下部筒体２２の受け部２２２に挿入した状態を示す拡大断面図、連結部材２６の拡張部２６１を下部筒体２２の受け部２２２の内周面に圧着した状態を示す断面図、図７は下部筒体２２の下端部に固定される連結部材２６の斜視図である。
【００３５】
図８は支持脚部４に形成されたカム部４４の説明図であり、詳しくは、図８（ａ）は支持脚部４のカム部４４が形成された部分を幅方向Ｗの中央部で分断した断面図、図８（ｂ）は支持脚部４のカム部４４を下方から見た底面図である。
【００３６】
図９は切替え部材５に形成されたカム部５２の説明図であり、詳しくは、図９（ａ）は切替え部材５のカム部５２を上方から見た平面図、図９（ｂ）はカム部５２が形成された切替え部材５を真横から見た側面図である。
【００３７】
なお、以下の説明における前後方向ＦＢとは、歩行補助杖１を操作する使用者の歩行方向と一致する方向であり、幅方向Ｗとは、平面方向において長手方向Ｌに直交する短手方向である。また、握り部３の基端側を前方Ｆとし、逆に、握り部３の遊端側を後方Ｂとしている。また、長手方向Ｌとは、前後方向ＦＢに対して垂直に直交する方向である。また、軸芯方向Ｓとは、長手方向Ｌと平行する方向である。
【００３８】
本考案の歩行補助杖１は、所望する長さに伸縮調節可能な棒状の杖本体２と、杖本体２の上端部に取り付けられた握り部３と、杖本体２の下端部に対して前後回動可能に取り付けられた４本足の支持脚部４とを備えている（図１参照）。
【００３９】
杖本体２は、中空筒状に形成された断面略丸形状の上部筒体２１及び下部筒体２２と、下部筒体２２の下端側に圧着し固定される連結部材２６とを備えている。上部筒体２１の内径は下部筒体２２の外径より大径に形成されており、上部筒体２１の内部に対して下部筒体２２の上端側が上下摺動可能に挿入されている。杖本体２の内部には、杖本体２を所望する長さに伸縮調節された状態に固定するロック機構２３が内蔵されている（図１、図２参照）。
【００４０】
握り部３は、使用者の手で把持することが可能な大きさ及び形状に形成されており、側面視略弧形状に形成された板状の支持部材３１を介して上部筒体２１の上端部に取り付けられている。支持部材３１は、握り部３が取り付けられた上端部と、上部筒体２１に固定された下端部との間に相当する部分が前方Ｆに向けて突出するように湾曲されている（図１、図２参照）。
【００４１】
支持部材３１の上端部は、握り部３における幅方向Ｗの中央部に挿入した後、図示しないねじ部材によって固定されている。支持部材３１の下端部は、上部筒体２１の上端側中心部に挿入した後、上部筒体２１の上端側外周面に装着した締付けリング３２によって締め付け固定されている（図１、図２参照）。
【００４２】
握り部３を支持する支持部材３１が側面視略弧形状に湾曲されているため、握り部３を使用者の手で把持する際に、支持部材３１を指の間に挟み込む必要が無く、握り部３における支持部材３１より後方Ｂ寄りの部分を把持することができる（図１参照）。
【００４３】
握り部３は杖本体２より前方Ｆ寄りに取り付けられているため、杖本体２を軸芯方向Ｓに延長した延長線上の位置で把持することができる。これにより、握り部３にかけられる使用者の体重を杖本体２で支えることができる（図１参照）。
【００４４】
ロック機構２３は、ロックピン２４と屈曲バネ２５とを備えている。ロックピン２４は、側面視略Ｕ形状に屈曲された屈曲バネ２５の一端側に対して外側に向けて取り付けられている。屈曲バネ２５の他端側は下部筒体２２の上端側内周面に対して係止又は固定されている（図２参照）。
【００４５】
ロックピン２４は、屈曲バネ２５に蓄積された復元力により、下部筒体２２に形成された挿通孔２２１を介して、上部筒体２１に形成されたロック孔２１１に対して係合される方向に付勢されている（図２参照）。
【００４６】
挿通孔２２１は、ロックピン２４と対向する下部筒体２２の上端側外周面に形成されている。ロック孔２１１は、上部筒体２１における挿通孔２２１と同一線上の外面に対して長手方向Ｌに所定間隔を隔てて多数配列されている（図１、図２参照）。
【００４７】
挿通孔２２１に挿通されたロックピン２４は、上部筒体２１に挿入された下部筒体２２を長手方向Ｌに摺動して、杖本体２を所望する長さに伸縮調節した際、上部筒体２１に形成された多数のロック孔２１１のうち一つのロック孔２１１に係合される。また、筒体２１，２２同士は、上部筒体２１の下端側外周面に装着したロックリング３３によって所望する長さに伸縮調節された状態で締め付け固定されている（図１、図２参照）。
【００４８】
支持脚部４は、四つ又形状に形成された脚部本体４１と、脚部本体４１に形成された四方に延びる４本の脚部４１１と、脚部４１１の下端側に装着された合成ゴム製の脚部キャップ４１２と、脚部本体４１に連結された下部筒体２２の下端側外面を覆う合成ゴム製の連結部カバー４１３とを備えている（図１、図３〜図５参照）。
【００４９】
４本の脚部４１１は、脚部本体４１の上面側中心部を通る垂直な軸芯を中心として、脚部本体４１から軸芯と直交する方向に放射状に延びて下方に垂下されている。脚部キャップ４１２は、脚部４１１の垂下側下端部に対して交換可能に装着されている（図３〜図５参照）。
【００５０】
連結部カバー４１３は、平面視略丸形状に形成された筒状の挿入部４１４と、前後方向ＦＢに長い平面視略楕円形状に形成された装着部４１５と、側面視略蛇腹形状に形成された蛇腹部４１６とを備えている。連結部カバー４１３の外観は、上端側から下端側に向けて徐々に末広がりとなる側面視略台形状に形成されている（図３〜図５参照）。
【００５１】
挿入部４１４の上面側中央部には、下部筒体２２の下端側を挿入する筒体挿入孔４１４１が形成されている。装着部４１５における前後方向ＦＢに対向する外周縁部には、後述するカバー装着溝４２４の係止孔４２５に係止される係止爪４１５１が形成されている（図３〜図５参照）。
【００５２】
脚部本体４１の上面側中央部には、下部筒体２２の下端部を連結する凹状の上側受け部４２が上向きに形成されている。脚部本体４１における上側受け部４２と反対側の下面側中央部には、後述する切替え部材５の上部側を受ける凹状の下側受け部４３が下向きに形成されている。上側受け部４２と下側受け部４３は同心円に形成されている（図３〜図８参照）。
【００５３】
上側受け部４２は、下端側から上端側に向けて徐々に広くなる上下逆台形状に形成されるとともに、前後方向ＦＢに長い平面視略楕円形状に形成されている。上側受け部４２の前後方向ＦＢは、杖本体２（下部筒体２２）を前後方向ＦＢに対して所定の傾き角度（約３０度）に回動操作することが可能な大きさ及び形状に形成されている（図３〜図８参照）。
【００５４】
上側受け部４２の底面部には、後述する連結部材２６の支持板２６２の支持面２６５に対して軸芯方向Ｓに当接される略平坦な支持面４２１が形成されている。支持面４２１は軸芯方向Ｓと直交して形成されるとともに、後述する連結部材２６の支持板２６２と対応する大きさ及び形状に形成されている（図３〜図８参照）。
【００５５】
上側受け部４２内の前部及び後部には、杖本体２（下部筒体２２）を前後方向ＦＢに対して所定の傾き角度（約１５度）に回動規制する規制面４２２が形成されている。規制面４２２は、支持面４２１を基準として前方Ｆ側及び後方Ｂ側に対して所定の傾き角度（約１５度）に形成されている（図３〜図５参照）。
【００５６】
上側受け部４２の外周縁部には、連結部カバー４１３の装着部４１５を装着するカバー装着溝４２４が形成されている。カバー装着溝４２４における前後方向ＦＢに対向する内周縁部には、連結部カバー４１３における装着部４１５の係止爪４１５１を係止する係止孔４２５が形成されている（図３〜図５参照）。
【００５７】
上側受け部４２の支持面４２１の中心部には、後述する連結ボルト６の角軸部６１を挿通する平面視略正方形の挿通孔４２３が下側受け部４３側に貫通して軸芯方向Ｓに形成されている（図３〜図５参照）。
【００５８】
下側受け部４３は、上端側から下端側に向けて略同径となる底面視略円筒形状に形成されている。下側受け部４３の上端側天井部には、後述する切替え部材５のカム部５２に対して軸芯方向Ｓに対向するカム部４４が形成されている（図３〜図５参照）。
【００５９】
カム部４４は、下方に向けて突出する上下逆台形状の山部４４１と、上方に向けて窪んだ台形状の谷部４４２とで構成されている。山部４４１と谷部４４２は、挿通孔４２３を中心として周方向に９０度偏心して交互に配置されている（図８参照）。
【００６０】
連結部材２６は、下部筒体２２の下端側に形成された中空筒状の受け部２２２に対して挿入される有底筒状の拡張部２６１と、拡張部２６１の下端側に形成された平面視略正方形の支持板２６２とを備えている。拡張部２６１の外径は受け部２２２の内径より小径に形成され、受け部２２２に対して挿入可能な大きさ及び形状に形成されている（図６参照）。
【００６１】
拡張部２６１における径方向に対向する前後の対向周面には、拡張部２６１を径外方向へ拡張するための割り溝２６１１が形成されている。割り溝２６１１は、拡張部２６１の上端側から下端側に向けて軸芯方向Ｓと平行して形成されるとともに、拡張部２６１における軸芯方向Ｓの略中央部に至る長さに形成されている（図６参照）。
【００６２】
拡張部２６１における割り溝２６１１の両端より内側の径方向に対向する対向周面には、六角穴付きの雄ねじ部材２６３を螺合するための雌ねじ孔２６１２が前後方向ＦＢと直交して形成されている。雌ねじ孔２６１２は、拡張部２６１の軸芯を中心として割り溝２６１１に対して周方向に略９０度偏心した位置に形成されている（図６参照）。
【００６３】
拡張部２６１を挿入する受け部２２２の径方向に対向する対向周面には、雄ねじ部材２６３を挿通するためのねじ挿通孔２２３が前後方向ＦＢと直交して形成されている。ねじ挿通孔２２３は、受け部２２２の軸芯を中心として拡張部２６１の割り溝２６１１に対して周方向に略９０度偏心した位置に形成され、拡張部２６１を受け部２２２に挿入した状態において、雌ねじ孔２６１２と連通される高さ及び位置に形成されている。
【００６４】
支持板２６２は、脚部本体４１における上側受け部４２の支持面４２１と対応する大きさ及び形状に形成され、拡張部２６１の下端部に対して軸芯方向Ｓと直交して形成されている。支持板２６２の四辺は、拡張部２６１の外周面より径外方向に突出され、拡張部２６１を受け部２２２に挿入した状態において、受け部２２２の下端部が当接される大きさ及び形状に形成されている。（図３〜図７参照）
【００６５】
支持板２６２における挿通孔４２３と対向する中心部には、後述する連結ボルト６の角軸部６１を挿通する平面視略矩形状の挿通孔２６４が厚み方向に貫通して形成されている。支持板２６２の下面側には、上側受け部４２の支持面４２１に対して軸芯方向Ｓに当接される略平坦な支持面２６５が形成されている（図３〜図７参照）。
【００６６】
挿通孔２６４は、前後方向ＦＢに長い平面視略矩形状に形成されるとともに、後述する連結ボルト６の角軸部６１と略対応する断面形状に形成されている。挿通孔２６４の内面は、下端側から上端側に向けて前後方向ＦＢに徐々に広くなるように形成されるとともに、杖本体２（下部筒体２２）を前後方向ＦＢに対して所定の傾き角度（約３０度）に回動操作することが可能な大きさ及び形状に形成されている（図３〜図８参照）。
【００６７】
切替え部材５は、脚部本体４１の下側受け部４３に挿入される部材本体５１と、部材本体５１の上部側に形成されたカム部５２と、部材本体５１の下部側に形成された回動操作部５３とを備えている。部材本体５１の上端側は、脚部本体４１の下側受け部４３に対して上下摺動可能及び水平回動可能に挿入されている（図３、図４、図９参照）。
【００６８】
部材本体５１の上面側中心部には、後述する連結ボルト６の丸軸部６２を挿通する挿通孔５４が軸芯方向Ｓに貫通して形成されている。部材本体５１の上端側中央部には、スプリング９を装填する凹状の装填部５５が形成されている（図３、図４、図９参照）。
【００６９】
カム部５２は、上方に向けて突出する台形状の山部５２１と、下方に向けて窪んだ上下逆台形状の谷部５２２とで構成されている。山部５２１と谷部５２２は、挿通孔５４を中心として周方向に９０度偏心して交互に配置されている（図９参照）。
【００７０】
カム部５２の山部５２１はカム部４４の谷部４４２と合致し、カム部５２の谷部５２２はカム部４４の山部４４１と合致する大きさ及び形状に形成されている。カム部５２における山部５２１と谷部５２２との高低差は、カム部４４における山部４４１と谷部４４２との高低差と略同一に形成されている（図８、図９参照）。
【００７１】
連結ボルト６は、上端側に形成された断面略正方形の角軸部６１と、下端側に形成された断面略丸形状の丸軸部６２と、角軸部６１の上端に形成された平面視略丸形状の頭部６３とを備えている（図３〜図５参照）。
【００７２】
連結ボルト６の角軸部６１は、下部筒体２２の下端部を脚部本体４１の上側受け部４２に挿入した状態において、下部筒体２２に固定された連結部材２６の挿通孔２６４を介して、脚部本体４１の挿通孔４２３に挿通されている。連結ボルト６の頭部６３は、挿通孔２６４の上面側周縁部に係止されている（図３〜図５参照）。
【００７３】
連結ボルト６の丸軸部６２は、部材本体５１の装填部５５に装填されたスプリング９を介して、脚部本体４１の下側受け部４３に挿入された切替え部材５の挿通孔５４に挿通されている。挿通孔５４より下方に突出された丸軸部６２の突出側端部には、ワッシャ７を介してナット８が螺着されている（図３〜図５参照）。
【００７４】
丸軸部６２に装着されたスプリング９は、支持脚部４における脚部本体４１に形成されたカム部４４と、切替え部材５における部材本体５１に形成されたカム部５２とを互いに当接される方向に付勢している（図３〜図５参照）。
【００７５】
上述のように構成された歩行補助杖１の杖本体２と支持脚部４とを連結する際の連結方法について説明する。  
先ず、連結部材２６の下端側を脚部本体４１の上側受け部４２に挿入した後、連結ボルト６を、連結部材２６の挿通孔２６４及び脚部本体４１の挿通孔４２３を介して、脚部本体４１の下側受け部４３に挿入された切替え部材５の挿通孔５４に挿通する（図３〜図５参照）。
【００７６】
連結ボルト６における挿通孔５４より下方に突出された端部にワッシャ７を介してナット８を螺着し、連結部材２６の下端側を支持脚部４に対して一体に連結している（図３〜図５参照）。
【００７７】
支持脚部４に連結された連結部材２６の上端側、すなわち、連結部材２６の拡張部２６１を下部筒体２２の受け部２２２に挿入する際に、連結部材２６の支持板２６２が下部筒体２２の下端部に対して当接される位置まで挿入し、拡張部２６１の雌ねじ孔２６１２と下部筒体２２のねじ挿通孔２２３とを互いに連通させる（図６、図７参照）。
【００７８】
左右一対の雄ねじ部材２６３を、下部筒体２２のねじ挿通孔２２３から挿通して、拡張部２６１の雌ねじ孔２６１２に対してそれぞれ螺合するとともに、図示しない回動操作具（具体的には六角棒レンチ）により図６中の矢印で示す締め込み方向へ回動操作して、雄ねじ部材２６３同士を拡張部２６１の径中心部にて互いに当接する（図６参照）。
【００７９】
雄ねじ部材２６３同士を互いに当接した際に、雄ねじ部材２６３の端部を拡張部２６１の外周面より径外方向に所定長さ突出して、受け部２２２のねじ挿通孔２２３に対してそれぞれ係止するとともに、拡張部２６１の外周面より径外方向に突出される雄ねじ部材２６３の突出寸法が略同等となるように螺合する（図６参照）。
【００８０】
左右一対の雄ねじ部材２６３を、図示しない回動操作具により図６中の矢印で示す締め込み方向へ回動操作するほど、雄ねじ部材２６３同士が拡張部２６１の径中心部にて互いに当接されるが、雄ねじ部材２６３同士を当接した際に生じる反発力によって、雄ねじ部材２６３を螺合した拡張部２６１の雌ねじ孔２６１２が、雄ねじ部材２６３同士が当接される方向と反対の方向へねじ送り移動される（図６参照）。
【００８１】
すなわち、雄ねじ部材２６３同士の当接により拡張部２６１を径外方向へ拡張し、拡張部２６１の外周面を受け部２２２の内周面に対して径外方向に圧着し固定するため、拡張部２６１の外周面と受け部２２２の内周面との圧着部分に生じる摩擦抵抗によって、連結部材２６の拡張部２６１を杖本体２の受け部２２２に対して挿入された状態に圧着し固定することができる。
【００８２】
拡張部２６１を分割する割り溝２６１１を、拡張部２６１における径方向に対向する対向周面に対して軸芯方向Ｓと平行に形成しているため、拡張部２６１を径外方向へ容易に拡張できるとともに、拡張部２６１における割り溝２６１１によって分割された一方及び他方の外周面を、受け部２２２における一方及び他方の内周面に対してより略均等に密着した状態に圧着し固定することができる。
【００８３】
この結果、拡張部２６１を受け部２２２に挿入された状態に圧着し固定するのに十分な摩擦抵抗が得られるため、連結部材２６の拡張部２６１を杖本体２の受け部２２２に対してガタ付き無くより強固に固定できるとともに、杖本体２と支持脚部４をより堅牢に連結することができる。
【００８４】
しかも、拡張部２６１の外周面を受け部２２２の内周面に対して径外方向に圧着し固定するため、使用者の体重を支えるのに十分な強度に確実に連結することができる。これにより、使用者の体重を杖本体２に対してより安心してかけることができるとともに、使用者の体重や姿勢をより安定して支えることができる。
【００８５】
さらに、雄ねじ部材２６３同士の当接によって拡張された連結部材２６の拡張部２６１は、蓄積された復元力によって拡張前の状態に戻ろうとするため、その復元力によって、拡張部２６１の雌ねじ孔２６１２に螺合した雄ねじ部材２６３同士が互いに当接される方向により積極的に付勢されるとともに、雄ねじ部材２６３同士が当接される方向と反対の方向に向けて、雌ねじ孔２６１２及び雄ねじ部材２６３のねじ山同士が互いに当接される（図６参照）。
【００８６】
これにより、雄ねじ部材２６３と雌ねじ孔２６１２との螺合部分に緩みが生じることを防止できるとともに、拡張部２６１の外周面と受け部２２２の内周面とが圧着し固定された状態を長期に亘り安定して保つことができる。
【００８７】
さらにまた、拡張部２６１の外周面を受け部２２２の内周面に対して圧着し固定するのに加えて、拡張部２６１の外周面より径外方向に突出された雄ねじ部材２６３の端部を、受け部２２２のねじ挿通孔２２３に係止するため、受け部２２２に挿入された拡張部２６１が軸芯方向Ｓへ移動したり、周方向へ回転したりすることをより確実に防止できる。
【００８８】
これにより、連結部材２６の拡張部２６１を下部筒体２２の受け部２２２に対してガタ付き無くより頑丈に固定できるとともに、杖本体２と支持脚部４とをより堅牢に連結することができる。
【００８９】
上述のように構成された歩行補助杖１を操作して、使用者の歩行を補助する際の動作について説明する。  
図１０は杖本体２を前後方向ＦＢに回動操作する際の説明図、図１１は歩行補助杖１を接地面Ｇに接地する際の動作説明図である。
【００９０】
使用者の歩行を開始する際に、歩行補助杖１の握り部３を使用者の手で把持したまま、杖本体２の下端側を前方Ｆへ振り出し、杖本体２の下端部に連結された支持脚部４を接地面Ｇに接地する（図１１（ａ）参照）。
【００９１】
使用者が前方Ｆ側へ移動するのに伴い、杖本体２を後方側へ傾いた状態から垂直に起立した状態へ回動し（図１１（ａ）（ｂ）（ｃ）参照）、杖本体２を垂直に起立した状態から前方側へ傾いた状態へ回動する（図１１（ｃ）（ｄ）（ｅ）参照）。
【００９２】
これにより、杖本体２が支持脚部４に対して後方Ｂ側又は前方Ｆ側へ傾いた状態に回動されても、支持脚部４における前後脚部４１１は接地面Ｇに接地された状態のままであるため、使用者の体重を支えるのに必要な接地面積を確保することができる。
【００９３】
支持脚部４が接地面Ｇから離れるまでは、使用者の体重や姿勢を確実に支えることができるため、使用者の体重を杖本体２にかけた際に、支持脚部４の接地位置が移動したり、接地面Ｇから浮き上ったり、接地姿勢が横向きに傾いたりすることを防止できる。
【００９４】
この結果、使用者の体重を杖本体２に対してより確実に安心してかけることができるとともに、使用者の体重や姿勢をより確実に安定して支えることができる。  
しかも、歩行補助杖１の接地状態が安定しているため、使用者の足腰への負担を軽減することができるとともに、使用者が転倒したり、躓いたりすることを防止でき、使用者の歩行を安定して補助することができる。
【００９５】
この考案の構成と、前記実施形態との対応において、  
この考案の拡張手段は、実施形態の雄ねじ部材２６３に対応し、  
以下同様に、  
当接部は、支持板２６２に対応するも、  
この考案は、上述の実施形態の構成のみに限定されるものではなく、請求項に示される技術思想に基づいて応用することができ、多くの実施の形態を得ることができる。
【００９６】
本考案の連結部材２６を用いた連結構造は、例えば杖本体２を支持脚部４に対して前後回動不可能に固定する構造として用いてもよい。  
また、実施例では、連結部材２６における拡張部２６１の外径を、下部筒体２２における受け部２２２の内径より小径に形成した例について説明したが、例えば拡張部２６１の外径と、受け部２２２の内径とを略同径に形成してもよい。
【００９７】
さらにまた、雄ねじ部材２６３を図６中の矢印で示す締め込み方向と反対の緩め方向へ回動操作して、下部筒体２２のねじ挿通孔２２３及び拡張部２６１の雌ねじ孔２６１２から抜き取れば、杖本体２と支持脚部４とを分離し交換することもできる。
【符号の説明】
【００９８】
ＦＢ…前後方向
Ｆ…前方
Ｂ…後方
Ｌ…長手方向
Ｗ…幅方向
Ｓ…軸芯方向
Ｇ…接地面
１…歩行補助杖
２…杖本体
３…握り部
４…支持脚部
５…切替え部材
６…連結ボルト
８…ナット
９…スプリング
２１…上部筒体
２２…下部筒体
２２２…受け部
２２３…ねじ挿通孔
２６…連結部材
２６１…拡張部
２６１１…割り溝
２６１２…雌ねじ孔
２６２…支持板
２６３…雄ねじ部材
【図１】
0003210562.tif 000003
【図２】
0003210562.tif 000004
【図３】
0003210562.tif 000005
【図４】
0003210562.tif 000006
【図５】
0003210562.tif 000007
【図６】
0003210562.tif 000008
【図７】
0003210562.tif 000009
【図８】
0003210562.tif 000010
【図９】
0003210562.tif 000011
【図１０】
0003210562.tif 000012
【図１１】
0003210562.tif 000013
【手続補正書】
【提出日】平成29年3月21日(2017.3.21)
【手続補正１】
【補正対象書類名】実用新案登録請求の範囲
【補正対象項目名】全文
【補正方法】変更
【補正の内容】
【実用新案登録請求の範囲】
【請求項１】
棒状の杖本体と、該杖本体の上端部に取り付けられた握り部と、前記杖本体の下端部に取り付けられた支持脚部とを備えた歩行補助杖であって、
前記杖本体と前記支持脚部との間に介在される連結部材の下端側が、前記支持脚部に連結され、
前記連結部材の上端側に形成された中空筒状の拡張部が、
前記杖本体の下端側に形成された中空筒状の受け部に挿入され、
前記拡張部を径外方向へ拡張する拡張手段が、前記拡張部に設けられた
歩行補助杖。
【請求項２】
前記拡張手段が、
前記拡張部に形成された雌ねじ孔に螺合される雄ねじ部材で構成され、
前記雌ねじ孔が、
前記拡張部における径方向に対向する対向周面に形成された
請求項１に記載の歩行補助杖。
【請求項３】
前記拡張部を拡張するための割り溝が、
前記拡張部における径方向に対向する対向周面に対して該拡張部の軸芯方向と平行して形成されるとともに、
前記拡張部の軸芯を中心として前記雌ねじ孔に対して周方向に略９０度偏心して配置された
請求項２に記載の歩行補助杖。
【請求項４】
前記雌ねじ孔が、
前記拡張部における前記割り溝の両端より内側の径方向に対向する対向周面に形成された
請求項３に記載の歩行補助杖。
【請求項５】
前記拡張部が前記受け部に挿入された状態において、
前記拡張部の前記雌ねじ孔に螺合した前記雄ねじ部材の端部が、
前記拡張部の外周面より径外方向に所定長さ突出されるとともに、
前記受け部の径方向に対向する対向周面に形成された前記雌ねじ孔と連通するねじ挿通孔に係止された
請求項２〜４のいずれか一つに記載の歩行補助杖。
【請求項６】
前記拡張部が前記受け部に挿入され、前記雌ねじ孔が前記ねじ挿通孔に連通された状態において、
前記受け部の下端部が、
前記連結部材の下端側に形成された径外方向に突出する当接部に当接された
請求項５に記載の歩行補助杖。